(57)【特許請求の範囲】
【請求項１】
基板と第一チップと第二チップとアンテナを含むデュアルチップの信号変換器において、
前記基板の一方の表面には少なくとも一つの第一接点と少なくとも一つの第二接点とを設置し、該基板の他方の表面には少なくとも一つの第三接点と少なくとも一つの第四接点とを設置し、
前記第一チップは前記基板のどちらか一方の表面に設置され、尚且つ前記第二接点と前記第四接点とに電気的に接続し、
前記第二チップは前記基板のどちらか一方の表面に設置され、尚且つ前記第一チップに電気的に接続し、
前記アンテナは基板中に設けられ、尚且つ前記第二チップに電気的に接続することを特徴とするデュアルチップの信号変換器。
【請求項２】
基板と第一チップと第二チップとアンテナを含むデュアルチップの信号変換器において、
前記基板は、第一基板と第二基板と連結部を含み、該連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、
前記第一チップは、前記第二基板のどちらか一方の表面に設置され、尚且つ前記連結部を経て前記第二接点と前記第四接点とに電気的に接続し、
前記第二チップは、第二基板のどちらか一方の表面に設置され、尚且つ前記第二チップは前記第一チップに電気的に接続し、
前記アンテナは、第二基板中に設置され、尚且つ前記第二チップに電気的に接続することを特徴とするデュアルチップの信号変換器。
【請求項３】
基板と第一チップと第二チップとアンテナを含むデュアルチップの信号変換器において、
前記基板は、第一基板と第二基板と連結部を含み、該連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、
前記第一チップは、前記第一基板のどちらか一方の表面に設置され、尚且つ前記第二接点と第四接点とに電気的に接続し、
前記第二チップは、前記第二基板のどちらか一方の表面に設置され、尚且つ前記第二チップは連結部を経て第一チップに電気的に接続し、
前記アンテナは、前記第二基板中に設置され、尚且つ前記第二チップに電気的に接続することを特徴とするデュアルチップの信号変換器。
【請求項４】
基板と第一チップと第二チップとアンテナを含むデュアルチップの信号変換器において、
前記基板は、第一基板と第二基板と連結部を含み、該連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、
前記第一チップは、前記第一基板のどちらか一方の表面に設置され、尚且つ前記第二接点と前記第四接点とに電気的に接続し、
前記第二チップは、前記第一基板のどちらか一方の表面に設置され、尚且つ前記第二チップは前記第一チップに電気的に接続し、
前記アンテナは、前記第二基板中に設置され、尚且つ連結部を経て前記第二チップに電気的に接続することを特徴とするデュアルチップの信号変換器。
【請求項５】
第一基板、第二基板、及び連結部と、第三基板と、第一チップと、第二チップと、アンテナとを含むデュアルチップの信号変換器において、
前記連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、また、前記第二基板には複数個の電気的接点を備え、
前記第三基板には複数個の電気的接点を備え、尚且つ前記第二基板と前記第三基板とは電気的接点を介して電気的に接続し、
前記第一チップは前記第二基板のどちらか一方の表面に設置され、前記連結部を経て前記第二接点と前記第四接点とに電気的に接続し、尚且つ前記第二基板の複数個の電気的接点に電気的に接続し、
前記前記第二チップは前記第三基板のどちらか一方の表面に設置され、尚且つ前記第三基板の複数個の電気的接点に電気的に接続し、
前記アンテナは前記第三基板中に設置され、尚且つ前記第二チップに電気的に接続することを特徴とするデュアルチップの信号変換器。
【請求項６】
第一基板、第二基板、及び連結部と、第三基板と、第一チップと、第二チップと、アンテナとを含むデュアルチップの信号変換器において、
前記連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、また、前記第二基板には複数個の電気的接点を備え、
前記第三基板には複数個の電気的接点を備え、尚且つ前記第二基板と前記第三基板とは電気的接点を介して電気的に接続し、
前記第一チップは前記第二基板のどちらか一方の表面に設置され、尚且つ前記連結部を経て前記第二接点と前記第四接点とに電気的に接続し、
前記第二チップは前記第二基板のどちらか一方の表面に設置され、前記第一チップに電気的に接続し、尚且つ前記第二基板の複数個の電気的接点に電気的に接続し、
前記アンテナは前記第三基板中に設置され、尚且つ前記第三基板の複数個の電気的接点に電気的に接続することを特徴とするデュアルチップの信号変換器。
【請求項７】
第一基板、第二基板、及び連結部と、第三基板と、第一チップと、第二チップと、アンテナとを含むデュアルチップの信号変換器において、
前記連結部は前記第一基板と前記第二基板とを連結し、その内、前記第一基板の一方の表面には少なくとも一つの第一接点と少なくとも一つの第二接点とを設置し、前記第一基板の他方の表面には少なくとも一つの第三接点と少なくとも一つの第四接点とを設置し、尚且つ前記第一接点と前記第三接点とは電気的に接続し、また、前記第二基板には複数個の電気的接点を備え、
前記第三基板には複数個の電気的接点を備え、尚且つ前記第二基板と前記第三基板とは電気的接点を介して電気的に接続し、
前記第一チップは前記第一基板のどちらか一方の表面に設置され、尚且つ前記第二接点と前記第四接点とに電気的に接続し、
前記第二チップは前記第二基板のどちらか一方の表面に設置され、前記連結部を経て前記第一チップに電気的に接続し、尚且つ前記第二基板の複数個の電気的接点に電気的に接続し、
前記アンテナは前記第三基板中に設置され、尚且つ前記第三基板の複数個の電気的接点に電気的に接続することを特徴とするデュアルチップの信号変換器。
【請求項８】
前記第一チップは信号処理ユニットであることを特徴とする請求項１〜７のいずれか一項に記載のデュアルチップの信号変換器。
【請求項９】
前記第二チップは認証ユニットであることを特徴とする請求項１〜７のいずれか一項に記載のデュアルチップの信号変換器。
【請求項１０】
前記認証ユニットは銀行端末認証の暗号復号化アルゴリズムを実行することを特徴とする請求項９に記載のデュアルチップの信号変換器。
【請求項１１】
前記第一チップは、前記第二接点と前記第四接点との間の信号を変換することを特徴とする請求項１〜７のいずれか一項に記載のデュアルチップの信号変換器。
【請求項１２】
前記信号はデータ信号であることを特徴とする請求項１１に記載のデュアルチップの信号変換器。
【請求項１３】
前記第一接点および前記第三接点の電気的接続は、接地であることを特徴とする請求項１〜７のいずれか一項に記載のデュアルチップの信号変換器。
【請求項１４】
前記第一接点および前記第三接点の電気的接続は、電源との接続であることを特徴とする請求項１〜７のいずれか一項に記載のデュアルチップの信号変換器。
【請求項１５】
前記第一接点および前記第二接点は、ＳＩＭカードに電気的に接続することを特徴とする請求項１〜７のいずれか一項に記載のデュアルチップの信号変換器。
【請求項１６】
前記第三接点および前記第四接点は、携帯可能な通信機器に電気的に接続することを特徴とする請求項１〜７のいずれか一項に記載のデュアルチップの信号変換器。
【請求項１７】
前記第一チップおよび前記第二チップは、ウエアレベルチップサイズパッケージ（ＷＬＣＳＰ）或いはチップオンフィルム（ＣＯＦ）技術を採用することを特徴とする請求項１〜７のいずれか一項に記載のデュアルチップの信号変換器。
【請求項１８】
前記第二基板には複数個の電気的接点を備え、前記複数個の電気的接点は少なくとも一組の電気的接点であることを特徴とする請求項５〜７のいずれか一項に記載のデュアルチップの信号変換器。
【発明の詳細な説明】
【技術分野】
【０００１】
本発明は、加入者識別モジュール（ＳＩＭ：Subscriber Identify Module）の応用に関し、特にデュアルカード結合分野に応用して利便性を向上させるデュアルチップの信号変換器に係る。
【背景技術】
【０００２】
アジア地区での携帯電話の普及率は常に上位を維持しているが、使用者の多くは、電話機能とショートメッセージ送受信機能だけの使用に留まり、さらに一歩進んだ機能としても写真撮影や音楽を聴くのみである。従来の加入者識別モジュール（ＳＩＭ：Subscriber Identify Module）ＳＩＭカードは携帯電話に使用し、使用者の電話番号、アドレス帳、及びシステム情報を登録する。例えば、個人識別番号（ＰＩＮ  ｃｏｄｅ：Personal Identification Number）及び加入者身分（ＩＤ）、盗難及び悪用防止等機能はすべてこれによって完成するが、携帯電話に対する依頼性の高まりから、例えば、クレジットカード及び出入口のカードキー機能との結合等、ＳＩＭカードと短距離無線通信規格（ＮＦＣ：Near Field Communication）との結合が期待されている。
【先行技術文献】
【特許文献】
【０００３】
【特許文献１】特開２００１−２９１０３９号公報
【特許文献２】特開２００５−３５２７３３号公報
【発明の概要】
【発明が解決しようとする課題】
【０００４】
本発明の目的は、薄膜基板上にデュアルチップとアンテナを配置し、該薄膜基板をSIMカードに便利な粘着を可能にする構造のデュアルチップの信号変換器を提供することにある。
【課題を解決するための手段】
【０００５】
前述の目的を達成するために、本発明の提供するデュアルチップの信号変換器は、基板と第一チップと第二チップとアンテナを含む。基板の一方の表面には少なくとも一つの第一接点と少なくとも一つの第二接点を設置し、該基板の他方の表面には少なくとも一つの第三接点と少なくとも一つの第四接点を設置する。第一チップは基板のどちらか一方の表面に設置され、尚且つ第二接点と第四接点に電気的に接続する。第二チップは基板のどちらか一方の表面に設置され、尚且つ第一チップに電気的に接続する。アンテナは基板中に設けられ、尚且つ第二チップに電気的に接続する。
【０００６】
薄膜基板上にデュアルチップとアンテナを配置した本発明のデュアルチップの信号変換器は、薄膜基板をＳＩＭカードに便利に粘着でき、利便性を向上させる効果を果たす。
【図面の簡単な説明】
【０００７】
【図１】本発明デュアルチップの信号変換器のブロック図である。
【図２Ａ】本発明の第一実施例によるデュアルチップの信号変換器の構成および配置を示す模式図である。
【図２Ｂ】本発明の第二実施例によるデュアルチップの信号変換器の構成および配置を示す模式図である。
【図２Ｃ】本発明の第三実施例によるデュアルチップの信号変換器の構成および配置を示す模式図である。
【図３Ａ】本発明の第四実施例によるデュアルチップの信号変換器の構成および配置を示す模式図である。
【図３Ｂ】本発明の第五実施例によるデュアルチップの信号変換器の構成および配置を示す模式図である。
【図３Ｃ】本発明の第六実施例によるデュアルチップの信号変換器の構成および配置を示す模式図である。
【図３Ｄ】本発明の第四〜第六実施例によるデュアルチップの信号変換器における複数のアンテナの電気的接点を示す模式図である。
【発明を実施するための形態】
【０００８】
本発明のデュアルチップの信号変換器は、ＳＩＭ／ＵＳＩＭ（汎用加入者識別モジュール）カードと携帯電話間に介し、携帯電話の付加価値サービスを実現する。
図１の本発明のデュアルチップの信号変換器に関するブロック図に示す通り、デュアルチップの信号変換器１００は、少なくとも一つの第一接点１１、少なくとも一つの第二接点１２、少なくとも一つの第三接点１３、少なくとも一つの第四接点１４、信号処理ユニット１５、認証ユニット１６及びアンテナ１７を含む。その内、第一接点１１と第二接点１２はＳＩＭカード１に電気的に接続する作用を有し、第三接点１３と該第四接点１４は携帯電話２に電気的に接続する作用を有する。第一接点１１と第三接点１３は電気的に接続し、信号処理ユニット１５は第二接点１２と第四接点１４に電気的に接続し、認証ユニット１６は信号処理ユニット１５及びアンテナ１７に電気的に接続する。
【０００９】
本発明のデュアルチップの信号変換器の信号処理ユニット１５と認証ユニット１６はそれぞれ集積回路のチップによりその機能を実現し、尚且つ集積回路のチップはウエアレベルチップサイズパッケージ（ＷＬＣＳＰ）或いはチップオンフィルム（Ｃｈｉｐ  ｏｎ  ｆｉｌｍ，ＣＯＦ）技術を採用する。
【００１０】
（第一実施例）
図２Ａは本発明の第一実施例によるデュアルチップの信号変換器の構成および配置を示す。信号変換器は、第一基板１０、第二基板２０、及び連結部２２を含む。その内、連結部２２は、第一基板１０と第二基板２０を連結する。第一基板１０、第二基板２０、及び連結部２２はいずれもフレキシブルプリント回路基板（軟性基板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。
【００１１】
本実施例の信号変換器中の第一チップ１５は第二基板２０の一方の表面に配置され、その内、第二接点と第四接点は連結部２２を経て第一チップ１５に電気的に接続する。該第一チップ１５は第二接点と第四接点間の信号（例えばデータ信号）を変換するための信号処理ユニットである。第二チップ１６は第二基板２０の一方の表面に設置され、尚且つ第一チップ１５に電気的に接続する。該第二チップ１６は銀行端末認証のアルゴリズムを実行するための認証ユニットである。アンテナ１７は第二基板の一方の表面に設置され、尚且つ第二チップ１６に電気的に接続する。
【００１２】
注意すべき点は、第一実施例中の第一チップ１５と第二チップ１６は第二基板２０の任意の一方に設置でき、アンテナ１７は第二基板２０の任意の一方或いは第二基板２０内に設置できる点にある。
【００１３】
（第二実施例）
図２Ｂには本発明の第二実施例によるデュアルチップの信号変換器の構成および配置を示す。信号変換器は、第一基板１０、第二基板２０、及び連結部２２を含み、その内、連結部２２は第一基板１０と第二基板２０を連結する。第一基板１０、第二基板２０、及び連結部２２はいずれもフレキシブルプリント回路基板（軟性板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。
【００１４】
本実施例の信号変換器中の第一チップ１５は第一基板１０の一方の表面に配置され、その内、第二接点と第四接点は第一チップ１５に電気的に接続する。該第一チップ１５は第二接点と第四接点間の信号（例えばデータ信号）を変換するための信号処理ユニットである。第二チップ１６は第二基板２０の一方の表面に設置され、尚且つ連結部２２を経て第一チップ１５に電気的に接続する。該第二チップ１６は銀行端末認証のアルゴリズムを実行するための認証ユニットである。アンテナ１７は第二基板の一方の表面に設置され、尚且つ第二チップ１６に電気的に接続する。
【００１５】
注意すべき点は、第二実施例中の第一チップ１５と第二チップ１６は第一基板１０、第二基板２０の任意の一方に設置でき、アンテナ１７は第二基板２０の任意の一方或いは第二基板２０内に設置できる点にある。
【００１６】
（第三実施例）
図２Ｃには本発明の第三実施例によるデュアルチップの信号変換器の構成および配置を示す。信号変換器は、第一基板１０、第二基板２０、及び連結部２２を含み、その内、連結部２２は第一基板１０と第二基板２０を連結する。第一基板１０、第二基板２０、及び連結部２２はいずれもフレキシブルプリント回路基板（軟性板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。
【００１７】
本実施例の信号変換器中の第一チップ１５は第一基板１０の一方の表面に配置され、その内、第二接点と第四接点は第一チップ１５に電気的に接続する。該第一チップ１５は第二接点と第四接点間の信号（例えばデータ信号）を変換するための信号処理ユニットである。第二チップ１６は第一基板１０の一方の表面に設置され、尚且つ第一チップ１５に電気的に接続する。該第二チップ１６は銀行端末認証のアルゴリズムを実行するための認証ユニットである。アンテナ１７は第二基板の一方の表面に設置され、尚且つ第二チップ１６に電気的に接続する。
【００１８】
注意すべき点は、第三実施例中の第一チップ１５と第二チップ１６は第一基板１０（Ｐ７Ｌ５／第一基板２０改為第一基板１０）の任意の一方に設置でき、アンテナ１７は第二基板２０の任意の一方或いは第二基板２０内に設置できる点にある。
【００１９】
（第四実施例）
図３Ａには本発明の第四実施例によるデュアルチップの信号変換器の構成および配置を示す。信号変換器は、第一基板１０、第二基板２０、連結部２２、及び第三基板３０を含み、その内、連結部２２は第一基板１０と第二基板２０を連結する。第一基板１０、第二基板２０、連結部２２、及び第三基板３０はいずれもフレキシブルプリント回路基板（軟性板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。並びに、第二基板２０は複数個の電気的接点２１（例えばバス或いは銅ポスト）を備え、第三基板３０には複数個の電気的接点３１（例えばバス或いは銅ポスト）を備え、その内、第二基板２０と第三基板３０は電気的接点２１及び電気的接点３１を介して電気的に接続する。
【００２０】
本実施例の信号変換器中の第一チップ１５は第二基板２０の一方の表面に配置され、その内、第二接点と第四接点は連結部２２を経て第一チップ１５に電気的に接続する。該第一チップ１５は第二接点と第四接点間の信号（例えばデータ信号）を変換するための信号処理ユニットである。第二チップ１６は第三基板３０の一方の表面に設置され、尚且つ第三基板３０の電気的接点３１に電気的に接続する。該第二チップ１６は銀行端末認証のアルゴリズムを実行するための認証ユニットである。アンテナ１７は第三基板３０の一方の表面に設置され、尚且つ第二チップ１６に電気的に接続する。
【００２１】
注意すべき点は、第四実施例中の第一チップ１５と第二チップ１６は第二基板２０、第三基板３０の任意の一方に設置でき、アンテナ１７は第三基板３０の任意の一方或いは第三基板３０内に設置できる点にある。
【００２２】
（第五実施例）
図３Ｂには本発明の第五実施例によるデュアルチップの信号変換器の構成および配置を示す。信号変換器は、第一基板１０、第二基板２０、連結部２２、及び第三基板３０を含み、その内、連結部２２は第一基板１０と第二基板２０を連結する。第一基板１０、第二基板２０、連結部２２、及び第三基板３０はいずれもフレキシブルプリント回路基板（軟性板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。並びに、第二基板２０は複数個の電気的接点２１（例えばバス或いは銅ポスト）を備え、第三基板３０には複数個の電気的接点３１（例えばバス或いは銅ポスト）を備え、その内、第二基板２０と第三基板３０は電気的接点２１及び電気的接点３１を介して電気的に接続する。
【００２３】
本実施例の信号変換器中の第一チップ１５は第二基板２０の一方の表面に配置され、その内、第二接点と第四接点は連結部２２を経て第一チップ１５に電気的に接続する。該第一チップ１５は第二接点と第四接点間の信号（例えばデータ信号）を変換するための信号処理ユニットである。第二チップ１６は第二基板２０の一方の表面に設置され、尚且つ第一チップ１５及び第二基板２０の電気的接点２１に電気的に接続する。該第二チップ１６は銀行端末認証のアルゴリズムを実行するための認証ユニットである。アンテナ１７は第三基板３０の一方の表面に設置され、尚且つ第三基板３０の電気的接点３１に電気的に接続する。
【００２４】
注意すべき点は、第五実施例中の第一チップ１５と第二チップ１６は第二基板２０の任意の一方に設置でき、アンテナ１７は第三基板３０の任意の一方或いは第三基板３０内に設置できる点にある。
【００２５】
（第六実施例）
図３Ｃには本発明の第六実施例によるデュアルチップの信号変換器の構成および配置を示す。信号変換器は、第一基板１０、第二基板２０、連結部２２、及び第三基板３０を含み、その内、連結部２２は第一基板１０と第二基板２０を連結する。第一基板１０、第二基板２０、連結部２２、及び第三基板３０はいずれもフレキシブルプリント回路基板（軟性板）技術により製作される。第一基板１０の一方の表面には第二接点エリアを配置し、第二接点エリアには、少なくとも一つの第三接点と、少なくとも一つの第四接点を含み、尚且つ第三接点と第四接点は、例えば携帯電話等の携帯可能な通信機器に電気的に接続する。
本発明の一実施例において、第二接点エリアはＩＳＯ７８１６国際規格に準拠する。ＩＳＯ７８１６国際規格は八つの接点（接点１．Ｖｃｃ、接点２．ＲＳＴ、接点３．ＣＬＫ、接点４．ＲＦＵ、接点５．ＧＮＤ、接点６．Ｖｐｐ、接点７．Ｉ／Ｏ、接点８．ＲＦＵ）を含む。その内、接点１．Ｖｃｃと接点５．ＧＮＤを第三接点、接点７．Ｉ／Ｏを第四接点とみなす。第一基板１０の他方の表面には第一接点エリアを設置し、第一接点エリアは少なくとも一つの第一接点と少なくとも一つの第二接点を含み、尚且つ第一接点と第二接点をＳＩＭカードに電気的に接続する。その内、第一接点と第三接点は電気的に接続する。また、この他方の表面の一部エリアには粘着材料を備え、この他方の表面を対応するＳＩＭカードに粘着する。
本発明の一実施例において、第一接点エリアはＩＳＯ７８１６国際規格に準拠し、尚且つ第一接点エリアと第二接点エリアの各接点は互いに向き合う位置にあり、その内、接点１．Ｖｃｃと接点５．ＧＮＤを第一接点に、接点７．Ｉ／Ｏを第二接点とみなす。並びに、第二基板２０は複数個の電気的接点２１（例えばバス或いは銅ポスト）を備え、第三基板３０には複数個の電気的接点３１（例えばバス或いは銅ポスト）を備え、その内、第二基板２０と第三基板３０は電気的接点２１及び電気的接点３１を介して電気的に接続する。
【００２６】
本実施例の信号変換器中の第一チップ１５は第一基板１０の一方の表面に配置され、その内、第二接点と第四接点は第一チップ１５に電気的に接続する。該第一チップ１５は第二接点と第四接点間の信号（例えばデータ信号）を変換するための信号処理ユニットである。第二チップ１６は第二基板２０の一方の表面に設置され、尚且つ連結部２２を経て第一チップ１５及び第二基板２０の電気的接点２１に電気的に接続する。該第二チップ１６は銀行端末認証のアルゴリズムを実行するための認証ユニットである。アンテナ１７は第三基板３０の一方の表面に設置され、尚且つ第三基板３０の電気的接点３１に電気的に接続する。
【００２７】
注意すべき点は、第六実施例中の第一チップ１５と第二チップ１６は第一基板１０、第二基板２０の任意の一方に設置でき、アンテナ１７は第三基板３０の任意の一方或いは第三基板３０内に設置できる点にある。
【００２８】
図３Ｄは本発明の第四〜第六実施例のデュアルチップの信号変換器における複数のアンテナの電気的接点を示す模式図である。本発明の第四〜第六実施例中の電気的接点２１は、少なくとも一組によって構成される。
【符号の説明】
【００２９】
１    ・・・ＳＩＭカード
２    ・・・携帯電話
１００・・・デュアルチップの信号変換器
１０  ・・・第一基板
１１  ・・・第一接点
１２  ・・・第二接点
１３  ・・・第三接点
１４  ・・・第四接点
１５  ・・・信号処理ユニット
１６  ・・・認証ユニット
１７  ・・・アンテナ
２０  ・・・第二基板
２１  ・・・電気的接点
２２  ・・・連結部
３０  ・・・第三基板
３１  ・・電気的接点
【図１】
0005426772.tif 000002
【図２Ａ】
0005426772.tif 000003
【図２Ｂ】
0005426772.tif 000004
【図２Ｃ】
0005426772.tif 000005
【図３Ａ】
0005426772.tif 000006
【図３Ｂ】
0005426772.tif 000007
【図３Ｃ】
0005426772.tif 000008
【図３Ｄ】
0005426772.tif 000009